(57)【特許請求の範囲】
【請求項１】
花卉球根類の水栽培に用いる球根ホルダであって、
１個の球根を保持するための上下方向に貫通した略正六角形の筒部と、筒部の上部から内側斜め下方に延在した球根の受け面部と、当該筒部から上方に延在した球根のガイド片を有し、
前記筒部は、略正六角形の六つの面のうち五つの面に下端から上向きに切り欠いた被係着部を有するとともに残り一つの面に被係着部に係着する上向き爪状の係着部を有することで、複数の球根ホルダを相互の係着部と被係着部とで六角形の一つの面同士を着脱自在に連結できることを特徴とする球根ホルダ。
【請求項２】
水栽培するチューリップの球根部より少なくとも上方が透明な有底の水栽培容器に、請求項１記載の球根ホルダを用いて水栽培生育した複数のチューリップを配列したことを特徴とするチューリップの水栽培方法。
【発明の詳細な説明】
【技術分野】
【０００１】
本発明は、花卉球根類を水栽培するための球根ホルダ及び水栽培容器と、花卉球根類を水栽培して移植する方法に関する。
特にチューリップの水栽培に好適である。
【背景技術】
【０００２】
冷蔵保存後に、休眠打破したチューリップ等の花卉球根類の球根を水栽培して、例えばクリスマス等の特定の時期に合わせて開花させる技術は公知である。
従来は例えば図８に示すように、球根部１０３を水栽培容器１５０の中に設けてあるピン１５１に突き刺し、チューリップ１０２が自立するようにして水栽培していたが、各球根の開花時期が揃わなかったり、球根部１０３が傷付き、カビ等が発生し、水が汚れる問題があった。
特開平９−２７５７７１号公報には、四方をついたてで仕切った複数の升目状構造物でチューリップを水栽培する技術を開示するが、切り花を得るための技術であり、水栽培状態のチューリップを例えばポットに移植するためのものではない。
【０００３】
【特許文献１】特開平９−２７５７７１号公報
【発明の開示】
【発明が解決しようとする課題】
【０００４】
本発明は上記技術的課題に鑑みて、チューリップ等の開花時期及び背丈等を揃えることが容易で、球根の傷付きによるカビ発生等を防止できる球根ホルダ及び水栽培容器と、その水栽培方法の提供を目的とする。
【課題を解決するための手段】
【０００５】
本発明は、花卉球根類の水栽培に用いる球根ホルダであって、１個の球根を保持するための上下方向に貫通した略正六角形の筒部と、筒部の上部から内側斜め下方に延在した球根の受け面部と、当該筒部から上方に延在した球根のガイド片を有し、前記筒部は、略正六角形の六つの面のうち五つの面に下端から上向きに切り欠いた被係着部を有するとともに残り一つの面に被係着部に係着する上向き爪状の係着部を有することで、複数の球根ホルダを相互の係着部と被係着部とで六角形の一つの面同士を着脱自在に連結できることを特徴とする。
【０００６】
受け面部は、一個の球根に対応する大きさに形成してあって、球根の根が生えてくる発根部を略中央の通孔に合わせた状態で球根を載せて、球根姿勢をある程度保持できればよく、必ずしも周方向に連続した環形でなくてもよい。
球根をある程度姿勢保持して載せることができるように、受け面部は好ましくは中央側を下方に凹ませるとよい。
受け面部に載せた球根からは、例えば球根を載せたまま球根ホルダを栽培槽等に置いて、栽培槽内に収容してある水や、水と液肥等よりなる水溶液に球根がある程度浸るようにすることで根が生えてくる。
この球根から生えてくる根は、通常は発根部をあてがった通孔を通って、筒内空間部において通孔の径よりも大きく一部が筒部内側面に沿うように拡がって、被栽培物と球根ホルダとを係着させるように伸びる。
これにより、球根ホルダは球根から生育した被栽培物を球根ホルダに対して自立させることができる。
【０００７】
球根ホルダは、筒部から上方にガイド片を有している。
球根ホルダには、受け面部に載せた球根を寄りかからせたり、複数個で球根を軽く挟持できるガイド片を設けることで、球根から根が十分に伸びるまでの期間において球根姿勢をより安定させることができる。
【０００８】
球根ホルダは、筒部に係着部と被係着部を有し、複数の球根ホルダを相互の係着部と被係着部とで連結できる。
これにより、複数の球根ホルダを相互に連結できるので安定する。
【０００９】
請求項２記載に係る発明は、複数のチューリップを配列して水栽培する方法であり、水栽培するチューリップの球根部より少なくとも上方が透明な有底の水栽培容器に、請求項１記載の球根ホルダを用いて水栽培生育した複数のチューリップを配列したことを特徴とする。
【発明の効果】
【００１０】
本発明に係る球根ホルダにおいては、球根から伸びた根が球根ホルダ内で拡がって被栽培物と球根ホルダとが係着するので球根が安定する。
また、複数の球根ホルダを連結することで載置面に対しての球根ホルダの自立性が高くなる。
これにより、従来のように球根部にピンを突き刺して被栽培物を自立させる必要がなく、球根部の傷付きによるカビ発生の恐れがなくなり、水栽培用の水の汚れを防止できる。
【００１１】
球根ホルダとポット等の有底容器を組み合わせることで、例えば球根ホルダを用いて栽培槽等で育成に適した状態で被栽培物を生育させて、生育させた被栽培物を観賞に適したポットに水栽培状態で移植して見栄えを向上できる。
ポットは、例えば被栽培物の球根部が外から見えるようにすると、切花とは異なる趣を楽しむことができる。
【００１２】
球根ホルダを用いて多くのチューリップ等を水栽培し、生育状態等によって選別したチューリップ等をポット等の水栽培容器に移植することで、開花時期や背丈を揃えることができ、観賞価値が向上する。
【発明を実施するための最良の形態】
【００１３】
図１は本発明に係る、花卉球根類の水栽培に用いる球根ホルダ１０の説明図で、図１（ａ）は斜視図を示し、図１（ｂ）は縦断面図を示し、図１（ｃ）は複数の球根ホルダ１０同士を連結して、それぞれに花卉球根類としてのチューリップの球根１を配置した状態を示す。
ここで花卉球根類とは球根を水栽培できる観賞用の植物を意味する。
球根ホルダ１０は樹脂で一体成形してあり、水平方向断面が略正六角形である筒形の筒部３０と、筒部３０の上端部３０ａから内向きの環形に延出してある受け面部２０と、受け面部２０の周方向外縁２０ａ付近から受け面部２０を囲むように複数立設してあるガイド片４０とを有している。
受け面部２０は、球根１を受けるための受け面２１を中央側が下向きに傾斜するように上方から凹ませて設けて、受け面２１の略中央位置に上方から筒部３０の筒内空間部３３に貫通する円形の通孔２３を設けてある。
ガイド片４０は、受け面部２０の略正六角形に形成してある周方向外縁２０ａの一つ置きの頂点部位置から上方に平行に延出してあり、受け面部２０の側にガイド面４１を設けてある。
図１（ｃ）に示すように、受け面部２０とガイド片４０は、球根１の下部の根が生える発根部を通孔２３にあてがうようにして受け面２１で球根１を受けて、球根１をガイド片４０で支えたり、あるいはガイド片４０同士の間で軽く球根を挟持して球根１の姿勢を保持する。
筒部３０は、球根ホルダ１０を載置する載置面５に対して筒形周方向において下端部３０ｂを載置面５に当接させることで、筒形軸方向を垂直方法にして球根ホルダ１０を載置面５上に立てて、受け面部２０を載置面５から筒内空間部３３を隔てた所定高さに配置する。
【００１４】
図４（ａ）は、受け面部２０に球根１を載せた状態の球根ホルダ１０の縦断面を描いた説明図を示し、図４（ｂ）は球根を育成してチューリップの被栽培物２とした状態を示す。
図４（ｂ）において被栽培物２の球根部３から生えている根４は、通常、通孔２３を通って球根ホルダ１０の筒内空間部３３で通孔２３の径より大きく拡散するように拡がって、その一部は受け面部２０の下面２２の側に拡がって筒部３０の内側面３２に沿うように伸びる。
筒内空間部３３で根４が拡散するように伸びることで、球根ホルダ１０で生育させた被栽培物２は球根ホルダ１０に対する傾斜等の変位に対して根４が筒部３０の内側面３２や受け面部２０に係るようになり、球根ホルダ１０に対して自立できるようになる。
受け面部２０の形状は、生育させた根を通孔２３より上方から通孔２３を通すものでも、球根の下部を通孔２３を通った筒内空間部３３に突出して配置して、生育させた根をそのまま筒内空間部３３で伸ばすものであってもよい。
【００１５】
図１に示すように、筒部３０の外側面３１において断面略正六角形状を形成する内の一つの面３１ａには面方向に沿う上向き爪状の係着部３４が突出してある。
そして、他の面３１ｂにはそれぞれ筒部３０の外側面３１ａから内側面３１ｂにかけてを下端から上向きに切り欠いた被係着部３５が設けてある。
係着部３４と被係着部３５は、複数の球根ホルダ同士を水平方向に連結させるためのもので、面３１ａを面３１ｂに沿わせて一方の球根ホルダの係着部３４を爪形状先端側から、他方の被係着部３５の切欠形状に挿入するように球根ホルダ同士を上下移動させて、係着部３４と被係着部３５とを係着することで、例えば図１（ｃ）に示すように球根ホルダ１０同士を連結できる。
図２は、球根ホルダ１０とポット６０とを組み合わせた状態を示す。
球根ホルダ１０は、例えば栽培槽等で、栽培に適した形状に連結して花卉球根類を生育させた後に、ポット６０に合わせた形状に球根ホルダ１０同士を連結しなおして、ポット６０内に例えば図３に示すように移植して観賞用に用いることができる。
ポット６０は、例えばガラス製やプラスチック製で、筒部６１の下部を筒底部６２で塞いで上方に開口してある。
そして、筒部６１の上部は透明部６１ａとして被栽培物２の球根部３より上部分を外から見えるようにして水栽培状態がわかるようにしてあり、筒部６１の下部は非透明部６１ｂとして球根ホルダ１０の下側部分が直接見えないようにしてある。
ポット６０の筒部６１の内側面６１ｃは、ポット６０内において外側に置いた球根ホルダ１０の一部にほぼ臨むように設けて、球根ホルダ１０が倒れないように支持するとよい。
また、球根ホルダ１０は、ポット６０の筒底部６２の上に配設したもの全てを、連結してある必要はない。
【００１６】
図５は連結した球根ホルダから特定の球根ホルダを分離する状態の説明図を示す。
図５（ａ）に示すように、連結したそれぞれの球根ホルダ１０、１０ａの中から特定の球根ホルダ１０ａを取り出す場合には、先ず、図５（ｂ）に示すように特定の球根ホルダ１０ａとその隣り合う球根ホルダ１０との位置を上下にずらして連結を外し、同様に反対側で隣り合う球根ホルダ１０との連結も外して、図５（ｃ）に示すように選択した球根ホルダ１０ａを連結から分離して取り出す。
図６は、球根ホルダを用いて育成した複数の被栽培物の中から特定のものを選別する状態の説明図を示す。
球根ホルダを用いて栽培槽６等で育成して生育状態が異なる複数の被栽培物２、２ａの中から、例えば開花状態がほぼ揃うように複数の被栽培物２ａを選別し、その球根ホルダ１０ａを他の球根ホルダ１０から図５に示すように分離する。
そして、分離した球根ホルダ１０ａ同士を例えば移植先のポット等に合わせて連結して、例えば図３に示すようにポット６０内に移植する。
このように、球根ホルダで育成した被栽培物の移植先において、花同士の開花状態を揃える等の調整が容易に行える。
【００１７】
球根ホルダの形状は、少なくとも環形の受け面部を筒部の上端部に内向きに設けて、筒部同士を水平方向に連続して連結できればよく、例えば図７（ａ）に示すように断面略円形とした球根ホルダ７０としてもよい。
図７（ｂ）は、この球根ホルダ７０とポット６０とを組み合わせた状態を示す。
【図面の簡単な説明】
【００１８】
【図１】本発明に係る花卉球根類水栽培用の球根ホルダの説明図を示す。
【図２】球根ホルダとポットとを組み合わせた状態を示す。
【図３】球根ホルダで生育させた被栽培物をポットに水栽培状態で移植した状態を示す。
【図４】（ａ）は、受け面部に球根を載せた状態の球根ホルダの縦断面を描いた説明図を示し、（ｂ）は球根を育成した状態を示す。
【図５】連結した球根ホルダから特定の球根ホルダを分離する状態の説明図を示す。
【図６】球根ホルダを用いて育成した複数の被栽培物の中から特定のものを選別する状態の説明図を示す。
【図７】（ａ）は断面略円形とした球根ホルダを示し、（ｂ）は断面略円径の球根ホルダとポットとを組み合わせた状態を示す。
【図８】従来の水栽培状態を示す。
【符号の説明】
【００１９】
１      球根
２      球根から生育させた被栽培物
２ａ    選択した被栽培物
３      球根部
４      根
５      球根ホルダを置く載置面
６      栽培槽
１０    球根ホルダ
１０ａ  選択した球根ホルダ
２０    受け面部
２０ａ  受け面部の周方向外縁
２１    受け面
２２    下面
２３    通孔
３０    筒部
３０ａ  上端部
３０ｂ  下端部
３１    外側面
３１ａ  係着部を設けた面
３１ｂ  被係着部を設けた面
３２    内側面
３３    筒内空間部
３４    係着部
３５    被係着部
４０    ガイド片
４１    ガイド面
６０    ポット
６１    筒部
６１ａ  透明部
６１ｂ  非透明部
６１ｃ  内側面
６２    筒底部
７０    球根ホルダ
【図１】
0005250799.tif 000002
【図２】
0005250799.tif 000003
【図３】
0005250799.tif 000004
【図４】
0005250799.tif 000005
【図５】
0005250799.tif 000006
【図６】
0005250799.tif 000007
【図７】
0005250799.tif 000008
【図８】
0005250799.tif 000009